(57)【要約】      （修正有）【課題】  無線装置の内蔵アンテナを筐体に取り付ける際に、基板上の回路との間のシールド効果を損なうことなく、基板上の給電点へ容易に接続できるようにする。【解決手段】  基板１２のうち、アンテナ１１との相互干渉を避けたい回路の部分を覆うようにシールドカバー１３を取り付ける。シールドカバー１３は、周縁部から中心部に向かってコの字形の凹部を有して形成され、基板１２に設けられた給電点１４を当該凹部の内側に囲むように基板１２に取り付けられる。アンテナ１１の一部が先端をシールドカバー１３の周縁部に向けて略クランク状に折り曲げられて形成された端子１５が、基板１２上の給電点１４に接続される。【選択図】  図２
2006332834.tif 000002
【特許請求の範囲】
【請求項１】
筐体と、
前記筐体に内蔵されたアンテナと、
前記筐体に内蔵されると共に、１の面に前記アンテナの給電点が設けられた基板と、
前記アンテナと前記基板との間に配設され、かつ、周縁部から中心部に向かって凹部を有して形成されると共に前記凹部が前記給電点の位置に対向するように前記基板の前記給電点が設けられた面に取り付けられたシールドカバーとを
備えたことを特徴とする無線装置。
【請求項２】
前記アンテナは、前記凹部に対向する一部が先端を前記シールドカバーの中心部から周縁部に向かう方向に略クランク状に折り曲げられて前記給電点に接続可能に形成されたことを特徴とする請求項１に記載の無線装置。
【発明の詳細な説明】
【技術分野】
【０００１】
本発明は無線装置に係り、特にアンテナを筐体に内蔵した無線装置に関する。
【背景技術】
【０００２】
携帯電話機に代表される無線装置のアンテナとして、従来はホイップアンテナのように筐体の外部に突き出た形状のアンテナが多く用いられていた。しかし近年は、無線装置の携帯上も操作上も有利な筐体内蔵型のアンテナが多く用いられる傾向にある。また、無線通信用とは別に、例えばＧＰＳ受信用やテレビ放送受信用のアンテナを内蔵するタイプの無線装置も増加している。
【０００３】
一方、無線装置の筐体には、各種の機能を実現する回路素子を実装した基板が内蔵される。筐体内蔵型のアンテナと、基板上の回路との間の相互干渉を防止するためには、両者の間に接地された導体板（シールド板）を配置する等の方法により電磁的にシールドすることが有効である。しかし、アンテナの給電点は同じく基板上に設けられるから、シールド板の両側に位置する給電点とアンテナとの間を電気的に接続しなければならないという問題がある。
【０００４】
上記の問題に対する解決策の一つとして、基板と内蔵アンテナとの間に貫通孔を有するシールド板を設け、その貫通孔を通して基板上の給電点とアンテナとの間を電気的に接続するという技術が知られている（例えば、特許文献１参照。）。
【特許文献１】特許第３３７４６０４号明細書（第１、３ページ、図１）
【発明の開示】
【発明が解決しようとする課題】
【０００５】
基板上の給電点と内蔵アンテナとの間を接続する電気的ラインは、多くの場合、内蔵アンテナの端子としてある程度の剛性を持つように形成される。このような場合、上述の特許文献１に開示された従来の技術では、内蔵アンテナを筐体に取り付ける際に端子と貫通孔とを注意深く位置合わせしなければならない。さもなければ、端子がシールド板に引っ掛かり変形することがあるという問題があった。また、貫通孔が空いている分だけシールド効果が減殺されるという問題があった。
【０００６】
本発明は上記問題を解決するためになされたもので、内蔵アンテナを筐体に取り付ける際に端子の変形等のおそれがなく、かつ、従来よりシールド効果を高めることのできる無線装置を提供することを目的とする。
【課題を解決するための手段】
【０００７】
上記目的を達成するために、本発明の無線装置は、筐体と、前記筐体に内蔵されたアンテナと、前記筐体に内蔵されると共に、１の面に前記アンテナの給電点が設けられた基板と、前記アンテナと前記基板との間に配設され、かつ、周縁部から中心部に向かって凹部を有して形成されると共に前記凹部が前記給電点の位置に対向するように前記基板の前記給電点が設けられた面に取り付けられたシールドカバーとを備えたことを特徴とする。
【発明の効果】
【０００８】
本発明によれば、アンテナとの相互干渉を避けたい基板上の部分であって給電点を除く範囲を覆ってシールドすることにより、アンテナと給電点との接続を容易にし、かつ、従来技術による場合よりシールド効果を高めることができる。
【発明を実施するための最良の形態】
【０００９】
以下、図面を参照して本発明の実施例を説明する。
【実施例１】
【００１０】
以下、図１乃至図３を参照して、本発明の実施例１を説明する。図１は、本発明の実施例１に係る無線装置の外観及び主要な構成を表す図で、左側が正面外観図、右側が右側面から見て主要な構成を表す図である。図中の1は、当該無線装置である。無線装置1の筐体１０はアンテナ１１及び基板１２を内蔵し、基板１２のアンテナ１１に向かい合う面にその一部を覆う形でシールドカバー１３が取り付けられている。なお、図１において無線装置１は１の筐体１０から構成されているが、これに限らず、２以上の筐体を連結して構成されていてもよい。また、正面図に表された無線装置１の他の構成については説明を省略する。
【００１１】
図２は、無線装置１の主要な構成どうしの位置関係を表す図である。アンテナ１１、基板１２及びシールドカバー１３は、それぞれ図1において説明したものと同じである。なお、図２におけるアンテナ１１は出願人の特許出願（特開２００４−２０１０４９号公報）に係るアンテナの一実施例を表したものであるが、アンテナのタイプをこれに限るものではない。基板１２のアンテナ１１に向かい合う面には、給電点１４が設けられる。シールドカバー１３は、給電点１４が設けられた位置をコの字形の内側に挟むようにして、同じ面上の給電点１４を含まない範囲を覆うように構成され、当該面に取り付けられている。すなわち、シールドカバー１３は図中の下方に当たる周縁部から中心部に向かって凹部を有して形成されている。シールドカバー１３は、当該凹部が給電点１４の位置に対向するように基板１２のアンテナ１１に向かい合う面に取り付けられると共に、電気的に接地されている。
【００１２】
アンテナ１１は、一部が先端をシールドカバー１３の周縁部に向けて略クランク状に折り曲げられて形成された端子１５を有する。端子１５は、アンテナ１１が筐体１０に内蔵されて取り付けられたときに給電点１４に接続されるように構成されている。なお端子１５は、アンテナ１１が平衡給電されるタイプのものである場合には信号線側とリターン線側とを有し、アンテナ１１が不平衡給電されるタイプのものである場合には信号線側のみを有するが、図２は便宜上それらを区別しないで表している（後述する図3乃至図5についても同様とする。）。
【００１３】
この取り付けの際、シールドカバー１３のコの字形状に形成された凹部は端子１５に対して十分にクリアランスを確保することができる。したがって、従来技術のようにシールド板の貫通孔を通して接続するのと異なり、端子１５がシールドカバー１３に当って変形したりするおそれが少ない。また端子１５の略クランク状に折り曲げられた形状の先端がシールドカバー１３の周縁部に向けられていることから、アンテナ１１を図２の下方からシールドカバー１３に当らないように容易に筐体１０に組み込むことができる。
【００１４】
シールドカバー１３は、基板１２のアンテナ１１に向かい合う面に実装された回路のうち、アンテナ１１との相互干渉を避けたい部分を完全に覆うことができる。したがって、従来技術のようにシールド板に貫通孔を空けたために電磁シールドの効果が損なわれるということがない。
【００１５】
図２においてシールドカバー１３は、給電点１４が設けられた位置をコの字形の凹部の内側に挟むように構成されたが、これに限らず、例えば給電点１４の位置をＶ字形の凹部の内側に挟むように構成されてもよい。図３は、図２と同じく無線装置１の主要な構成どうしの位置関係を、上記のＶ字形の場合について表す図である。図中のシールドカバー１３Aは、給電点１４の位置をＶ字形の凹部の内側に挟むことができるように構成されたシールドカバーである。その他の符号はすべて図２と共通であるから、説明を省略する。また、コの字形やＶ字形以外にさまざまな変形が可能である。アンテナ１１の形状、構成についても、さまざまな変形が可能である。
【００１６】
本発明の実施例１によれば、シールド効果を損なわずに内蔵アンテナの取り付け及び接続を容易にすることができる。
【実施例２】
【００１７】
以下、図４を参照して、本発明の実施例２を説明する。図４は、実施例２に係る無線装置の主要な構成どうしの位置関係を表す図である。図４に表された構成は、図２の無線装置１の構成における基板１２の周縁の一部に、導体パターン（接地パターンを含む）を置かない領域を設けて基板１２Ａとしたものである。図中の１６及び１７が、導体パターン（接地パターンを含む）を置かない領域である。その他の構成は、図２に表したものと同じであるから、説明を省略する。
【００１８】
図４のようにH字形に構成されたアンテナ１１が無線装置に内蔵された状態においては、“H”の文字の左右２本の縦線に相当する部分が、領域１６及び１７に近接する。アンテナ１１が不平衡給電されるタイプのもので、かつ、領域１６及び１７に接地パターンが設けられている場合には、領域１６及び１７にアンテナ電流と逆向きのリターン電流が流れ、アンテナ１１の放射効率を低下させる原因となる。
【００１９】
また、アンテナ１１が平衡給電されるタイプのものであって、かつ、領域１６及び１７に接地パターンが設けられている場合でも、アンテナ１１の導体部分と領域１６及び１７との間に容量結合を生じて線路インピーダンスを変化させ、給電点１４における整合を劣化させる可能性がある。
【００２０】
そこで実施例２においては、領域１６及び１７に導体パターン（接地パターンを含む）を置かないようにして、アンテナ１１の特性の劣化を防止している。
【００２１】
図４におけるアンテナ１１は、実施例1と同じように、出願人の特許出願（特開２００４−２０１０４９号公報）に係るアンテナの一実施例を表したものであるが、これに限らずどのような形状、構成の内蔵アンテナを用いる場合であっても、実施例2に係る発明を適用することができる。
【００２２】
本発明の実施例２によれば、基板の導体パターンの配置により、内蔵アンテナの特性劣化を防止するという、付加的な効果が得られる。
【実施例３】
【００２３】
以下、図５を参照して、本発明の実施例３を説明する。図５は、実施例３に係る無線装置の主要な構成どうしの位置関係を表す図である。図5に表された構成は、図4に表されたのと同じ基板１２Aと、図4のアンテナ１１を変形したアンテナ１１Aとに加え。新たに後述するアンテナホルダ２０を設けたものである。
【００２４】
アンテナ１１Aは、図4におけるアンテナ１１の“H”の文字の左右２本の縦線に相当する部分の一部をメアンダ状に折り曲げて変形したもので、その４の端部をそれぞれ符号１８A、１８B、１９A及び１９Bで表している。なお、これらの端部１８A、１８B、１９A及び１９Bの内側に当たる一点鎖線は、メアンダ状に折り曲げるための基準線を表す。このようにメアンダ状に形成するのは、対波長比で小さいスペースにアンテナを内蔵したときに所要の共振周波数を得られるようにするためである。なお、図４における端子１５に相当する端子は、符号１５Aで表している。
【００２５】
アンテナ１１Aは、端部１８Ａ、１８Ｂ、１９Ａ及び１９Ｂが上述した折り曲げの基準線の内側に入り込まないように形成されている。これは、最も電界強度が高まる端部１８Ａと１８Ｂ又は１９Ａと１９Ｂが互いに近づく向きに折り曲げて形成されると、強電界どうしの干渉によって放射効率を損なうからである。
【００２６】
実施例３においては、アンテナ１１Aを無線装置に内蔵したときの機械的安定を図るため、誘電体で形成されたアンテナホルダ２０を用いるものとしている。アンテナホルダ２０のうち、アンテナ１１Aの端部１８Ａが近接する部分２１Ａは、切り欠くようにして形成される。同様に、端部１８Ｂ、１９Ａ、１９Ｂがそれぞれ近接する部分２２Ｂ、２２Ａ、２２Ｂは、切り欠くようにして形成される。上述したように、アンテナ１１Aの端部１８Ａ、１８Ｂ、１９Ａ、１９Ｂの近傍は最も放射電界強度が高く、そこに誘電体を近づけるとその誘電正接によって定まるジュール熱が発生してアンテナ１１Aの放射効率を損なう。これを防止するため、アンテナホルダ２０に切り欠き状に形成された部分２１Ａ、２２Ｂ、２２Ａ、２２Ｂを持たせるようにしたものである。
【００２７】
アンテナホルダ２０の内側の部分２３は、端子１５Aと給電点１４との接続を妨げることのないように抜き取られる。この部分２３は、端子１５Ａに対して十分にクリアランスを確保することができる。アンテナホルダ２０は、抜き取られた部分２３がシールドカバー１３の凹部に対向するように、シールドカバー１３の上から取り付けられる。このようにすることにより、端子１５Ａを給電点１４に接続することができる。
【００２８】
図５におけるアンテナ１１Ａは、実施例1と同じように、出願人の特許出願（特開２００４−２０１０４９号公報）に係るアンテナの一実施例を表したものであるが、これに限ることなくどのような形状、構成の内蔵アンテナを用いる場合であっても、実施例3に係る発明を適用することができる。
【００２９】
本発明の実施例３によれば、対波長比で小さいスペースにアンテナを機械的安定を保って内蔵したときの放射効率の低下を抑えることができるという、付加的な効果が得られる。
【図面の簡単な説明】
【００３０】
【図１】本発明の実施例１に係る無線装置の外観及び主要な構成を表す図。
【図２】実施例１に係る無線装置の主要な構成どうしの位置関係を表す第１の図。
【図３】実施例１に係る無線装置の主要な構成どうしの位置関係を表す第２の図。
【図４】本発明の実施例２に係る無線装置の主要な構成どうしの位置関係を表す図。
【図５】本発明の実施例３に係る無線装置の主要な構成どうしの位置関係を表す図。
【符号の説明】
【００３１】
１  無線装置
１０  筐体
１１、１１A  アンテナ
１２、１２A  基板
１３、１３A  シールドカバー
１４  給電点
１５、１５A  端子
１６、１７  基板１２A上の導体パターンを置かない領域
１８Ａ、１８Ｂ、１９Ａ、１９Ｂ  アンテナ１１Aの端部
２０  アンテナホルダ
２１Ａ、２１Ｂ、２２Ａ、２２Ｂ  アンテナホルダ２０の切り欠くように形成された部分
２３  アンテナホルダ２０の内側の抜き取られた部分
【図１】
2006332834.tif 000003
【図２】
2006332834.tif 000004
【図３】
2006332834.tif 000005
【図４】
2006332834.tif 000006
【図５】
2006332834.tif 000007